(57)【要約】      （修正有）【課題】軒先重量を過大に増加することなく、最小限度の部品を追加するだけで簡単に施工可能なものとし、軒先の氷柱発生を格段に確実に防止できる上、短時間で施工可能であり、経済的且つ効率的に維持管理することができる軒先用氷柱防止板を提供する。【解決手段】軒先用氷柱防止板１は、氷柱防止型軒先７に施行可能で有り、帯状金属板製水滴誘導板４の上端縁４０がわを、対象軒先８３端水下がわに一体化可能とすると共に、同水滴誘導板４下端縁４１を軒先８３の桁行き方向に沿って複数点在状に突設した樋支持金具６２，６２，……を介し、鼻隠し８５との間に一定間隙９０を確保して平行状に支持した雨樋６の上向き開口前後縁６０，６０間から同雨樋６底面６１に当接する位置まで垂下可能とするよう、当該水滴誘導板４の上下寸法・形状を設定してなる。【選択図】図１
0003173545.tif 000002
【実用新案登録請求の範囲】
【請求項１】
建築物の標準単位寸法長に準ずる左右幅寸法に設定した左右に長い帯状金属板製水滴誘導板であって、同水滴誘導板上端縁がわを、対象建築物屋根の軒先端に垂下する軒先唐草の水下がわ水切り板部に一体化可能とすると共に、同水滴誘導板下端縁を建築物屋根軒先の桁行き方向に沿って複数点在状に突設した樋支持金具を介し、鼻隠しとの間に一定間隙を確保して平行状に支持したＵ字断面形状雨樋の上向き開口前後縁の中、鼻隠しに近接するがわの線状開口縁に一致するか、雨樋の上向き開口前後縁間から同雨樋底面に向け垂下状とするか、または、同雨樋の内がわ底面の適所に近接、もしくは、当接する位置まで垂下可能とするよう、当該水滴誘導板の上下寸法・形状を設定してなるものとしたことを特徴とする軒先用氷柱防止板。
【請求項２】
建築物の標準単位寸法長に準ずる左右幅寸法に設定した左右に長い帯状金属板製水滴誘導板であって、同水滴誘導板上端縁がわを、対象建築物屋根の軒先端に垂下する軒先唐草の水下がわ水切り板部に一体化可能とすると共に、同水滴誘導板下端縁を建築物屋根軒先の桁行き方向に沿って複数点在状に突設した樋支持金具を介し、鼻隠しとの間に一定間隙を確保して平行状に支持したＵ字断面形状雨樋の上向き開口前後縁の中、鼻隠しに近接するがわの線状開口縁に一致するか、雨樋の上向き開口前後縁間から同雨樋底面に向け垂下状とするか、または、同雨樋の内がわ底面の適所に近接、もしくは、当接する位置まで垂下可能とするよう、当該水滴誘導板の上下寸法・形状を設定し、設置した軒先端を流下、飛散する水滴が、雨樋と鼻隠しとの間隙から漏出、流下しないよう、雨樋内に確実に誘導可能としてなるものとしたことを特徴とする軒先用氷柱防止板。
【請求項３】
水滴誘導板が、雨樋用の桁行き方向に沿って点在する各樋支持金具と夫々貫通状に組み合せるべき左右幅間・上下端間の中途各所の夫々から、同水滴誘導板下端縁まで下向き開放する縦溝状組込口を開口し、各組込口上縁から、各樋支持金具の上部を被覆可能な廂状舌片を、設置状態にて雨樋内に向かうよう、前方斜め下方に延伸してなるものとした、請求項１または２何れか一方記載の軒先用氷柱防止板。
【請求項４】
建築物の標準単位寸法長に準ずる左右幅寸法に設定した左右に長い帯状金属板製水滴誘導板であって、同水滴誘導板上端縁がわを、対象建築物屋根の軒先端に垂下する軒先唐草の水下がわ水切り板部に一体化可能とすると共に、同水滴誘導板下端縁を建築物屋根軒先の桁行き方向に沿って複数点在状に突設した樋支持金具を介し、鼻隠しとの間に一定間隙を確保して平行状に支持したＵ字断面形状雨樋の上向き開口前後縁の中、鼻隠しに近接するがわの線状開口縁に一致するか、雨樋の上向き開口前後縁間から同雨樋底面に向け垂下状とするか、または、同雨樋の内がわ底面の適所に近接、もしくは、当接する位置まで垂下可能とするよう、当該水滴誘導板の上下寸法・形状に設定した軒先用氷柱防止板を、建築物屋根軒先端の軒先唐草の水下がわ水切り板部から、同軒先に設置した雨樋に達するよう垂下状に装着し、同軒先の鼻隠しと雨樋と間の一定間隙を閉塞可能なものとしてなる、請求項１ないし３何れか一項記載の軒先用氷柱防止板を利用した氷柱防止型軒先。
【請求項５】
建築物の標準単位寸法長に準ずる左右幅寸法に設定した左右に長い金属板製葺き板であって、対象建築物屋根の軒先に沿って被着する葺き板本体の水下がわ端に、軒先端から垂下する軒先唐草を一体化してなるものか、または、建築物の標準単位寸法長に準ずる左右幅寸法に設定した左右に長い帯状金属板製であって、対象建築物屋根の軒先に沿って被着する葺き板本体の水下がわ端に沿って連結機構を設け、その連結機構を介して軒先端から垂下するよう連結可能な軒先唐草それ自体かの何れか一方からなり、それら何れか一方の軒先唐草の水下がわ端左右間に渡り、上端縁がわを一体化した水滴誘導板部の下端縁を、建築物屋根軒先の桁行き方向に沿って複数点在状に突設した樋支持金具を介し、鼻隠しとの間に一定間隙を確保して平行状に支持したＵ字断面形状雨樋の上向き開口前後縁の中、鼻隠しに近接するがわの線状開口縁に一致するか、雨樋の上向き開口前後縁間から同雨樋底面に向け垂下状とするか、または、同雨樋の内がわ底面の適所に近接、もしくは、当接する位置まで垂下可能とするよう、当該水滴誘導板の上下寸法・形状を設定してなるものとしたことを特徴とする軒先氷柱防止用葺き板。
【請求項６】
水滴誘導板が、雨樋用の桁行き方向に沿って点在する各樋支持金具と夫々貫通状に組み合せるべき左右幅間・上下端間の中途各所の夫々から、同水滴誘導板下端縁まで下向き開放する縦溝状組込口を開口し、各組込口上縁から、各樋支持金具の上部を被覆可能な廂状舌片を、設置状態にて雨樋内に向かうよう、前方斜め下方に延伸してなるものとした、請求項５記載の軒先氷柱防止用葺き板。
【請求項７】
建築物の標準単位寸法長に準ずる左右幅寸法に設定した左右に長い金属板製葺き板であって、対象建築物屋根の軒先に沿って被着する葺き板本体の水下がわ端に、軒先端から垂下する軒先唐草を一体化してなるものか、または、建築物の標準単位寸法長に準ずる左右幅寸法に設定した左右に長い帯状金属板製であって、対象建築物屋根の軒先に沿って被着する葺き板本体の水下がわ端に沿って連結機構を設け、その連結機構を介して軒先端から垂下するよう連結可能な軒先唐草それ自体かの何れか一方からなり、それら何れか一方の軒先唐草の水下がわ端左右間に渡り、上端縁がわを一体化した水滴誘導板部の下端縁を、建築物屋根軒先の桁行き方向に沿って複数点在状に突設した樋支持金具を介し、鼻隠しとの間に一定間隙を確保して平行状に支持したＵ字断面形状雨樋の上向き開口前後縁の中、鼻隠しに近接するがわの線状開口縁に一致するか、雨樋の上向き開口前後縁間から同雨樋底面に向け垂下状とするか、または、同雨樋の内がわ底面の適所に近接、もしくは、当接する位置まで垂下可能とするよう、当該水滴誘導板の上下寸法・形状に設定した軒先氷柱防止用葺き板を、建築物屋根軒先端の野地板、広小舞上から、軒先端を回り込むように包み、その水滴誘導板部の下端縁が、軒先雨樋適所に達するよう垂下状に装着し、軒先鼻隠しと雨樋と間の一定間隙を閉塞可能なものとしてなる、請求項５または６何れか一方記載の軒先氷柱防止用葺き板を組み込んでなるものとした氷柱防止型軒先。
【請求項８】
建築物屋根軒先の桁行き方向に沿って複数点在状に突設した樋支持金具を介し、鼻隠しとの間に一定間隙を確保して平行状に支持したＵ字断面形状雨樋の上向き開口前後縁の中、装着状態にて鼻隠しに近接するがわとなる線状開口縁を上方に向けて延伸し、対象建築物屋根の軒先端に垂下する軒先唐草の水下がわ水切り板部の左右間に渡り、その上端縁を一体化可能とする水滴誘導板を延伸、一体化形成してなるものとしたことを特徴とする氷柱防止用雨樋。
【請求項９】
水滴誘導板が、雨樋用の桁行き方向に沿って点在する各樋支持金具と夫々貫通状に組み合せるべき左右幅間・上下端間の中途各所の夫々に、各樋支持金具が貫通可能な形状・寸法の組込口を開口し、各組込口に夫々樋支持金具を貫通状に組み合わせてなるものとした、請求項８記載の氷柱防止用雨樋。
【請求項１０】
建築物屋根軒先の桁行き方向に沿って複数点在状に突設した樋支持金具を介し、鼻隠しとの間に一定間隙を確保して平行状に支持したＵ字断面形状雨樋の上向き開口前後縁の中、装着状態にて鼻隠しに近接するがわとなる線状開口縁を上方に向けて延伸し、対象建築物屋根の軒先端に垂下する軒先唐草の水下がわ水切り板部の左右間に渡り、その上端縁を一体化可能とする水滴誘導板を延伸、一体化形成してなる氷柱防止用雨樋を、建築物屋根軒先の桁行き方向に沿って複数点在状に突設した各樋支持金具を介し、軒先鼻隠し前面に沿って装着、支持すると共に、当該水滴誘導板の上端縁を軒先端に垂下する軒先唐草の水下がわ水切り板部の左右間に渡って一体化し、軒先鼻隠しと雨樋と間の一定間隙を閉塞可能なものとしてなる、請求項８または９何れか一方記載の氷柱防止用雨樋を利用した氷柱防止型軒先。                                                                                                    
【考案の詳細な説明】
【技術分野】
【０００１】
この考案は、建築物屋根の軒先付近に設置した雨樋周辺に氷柱が発生するのを防止できるようにする技術に関連するものであり、特に、屋根を流れ下る雪解け水を雨樋に確実に誘導可能とする軒先を建築、提供する分野は勿論のこと、それを建築するための資材を輸送、保管、組み立ておよび設置するのに必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                              
【背景技術】
【０００２】
（着目点）
図６の従来型の軒先を示す斜視図、および、図７の従来型の軒先を示す断面図に示すように、切妻や片流れに代表されるような一般的な住宅などの建築物８の屋根８０に採用される軒先８３は、野地板８１上にアスファルトルーフィングやゴムアス防水シート（何れも商品名）などの防水用シート８６を敷設し、軒先８３の広小舞８２突端に、ルーフィング材やブチルテープ８７（何れも商品名）などを被着した上、野地板８１上および広小舞８２上に渡って一文字葺きや瓦棒葺きなどの金属製葺き板８８か、または、その他の各種瓦材などを設置して防水し、該広小舞８２突端に軒先唐草５を装着すると共に、該広小舞８２下面から鼻隠し板８４の前面および下端面付近まで金属製板材からなる鼻隠し８５で被覆・外装し、さらに、同鼻隠し板８４前面に近接し、軒先８３軒先唐草５の直下となる位置には、雨樋６が桁行き方向に沿って点在する複数の樋支持金具６２，６２，……を介して装着・支持してなるものとしてあり、屋根８０上を流れ下り、軒先唐草５下部の水切り板部５０から、雨樋６に落下し、排水するようになっている。
【０００３】
しかしながら、このように設置された従来型の建築物８屋根８０の軒先８３は、屋根８０上面を勢いよく流れ下った雨水や雪解け水などが、図７中に矢印Ａで示すように、軒先８３から直接雨樋６の鼻隠し８５から遠くに位置するがわの線状開口縁６０付近に落下・衝突して、樋支持金具６２付近に跳ね返るよう飛散したり、また、それよりも流れ下る勢いが弱く、同図７中の矢印Ｂに示すように、軒先唐草５を伝って流下した水も、水切り板部５０で水切れが悪いと、該水切り板部５０の裏側に回り込むように流れてから、樋支持金具６２の取付部分付近や、鼻隠し８５付近などに落下してしまったりして、雨樋６と鼻隠し８５との間にある間隙９０に氷柱９が発生してしまい、氷柱９の落下など、軒先下周辺の安全を確保できなくなるばかりでなく、軒先８３から鼻隠し板８４や広小舞８２、野地板８１がわなどへと、水分が浸透してしまい屋根８を傷めたり、スガ漏りを発生すことが懸念されるものとなっていた。
【０００４】
（従来の技術）
こうした状況を反映し、その打開策となるような提案もこれまでに散見されない訳ではない。
例えば、下記の特許文献１（１）に提案されているものに代表されるように、屋根葺き板の軒先付近の中途適所から、雪解け水を屋根下屋内に配設した雨樋に流下・排水可能とする雪解け水用の流下口を、桁行き方向に点在するようにしてなるものや、同特許文献１（２）に見られるような、軒先唐草立上部から突出部を介してその垂下壁面を前方に成形しているから、野地板から垂下壁面が一定の間隔を開けて離間して配置されることになり、雨水がその垂下壁面側に吹きつけても、各軒先唐草の接合部分から雨水が野地板側に到達することを防ぎ、垂下壁面に向かう風を先端折返部（上方）がわへ誘導して氷柱の成長を最小限に抑制可能としてなるもの、同特許文献１（３）のように、雨樋やその近傍に電熱ヒーターなどの加熱装置類を設置したもの、同特許文献１（４）のように、軒先から雨樋上を殆ど包囲するよう軒先保護部材を延伸し、氷柱防止用ヒーターを設けたもの、同特許文献１（５）ないし（７）に見られるように、雨樋と軒先を壁面で覆い、外部に漏出しないようして氷柱の発生を阻止可能としてなるもの、および、同特許文献１（８）のように、軒先唐草の水切り下端を、雨樋の鼻隠しに近接するがわの線状開口縁の直上付近であって、同雨樋の内がわとなる位置に配置するよう垂下してなり、軒先から流下する雪解け水や雨水などを雨樋内に誘導するようにしてなるものなどが散見される。
【０００５】
しかし、特許文献１（１）に示されているような氷柱防止装置類は、軒先の中途位置から建築物内がわに設置した雨樋を通じて排水可能としてなるものは、倉庫や工場などのような大型の建築物の軒先に氷柱が発生するのを防止するのに有効であるが、建築物内部に雪解け水が漏出してしまう虞があり、スガ漏りなどを確実に防止しなければならない一般住宅などには全く不向きなものであり、特許文献１（２）のような軒先唐草などは、その折曲形状が複雑なため、勢い高価な部品となってしまうという致命的な欠点があり、同特許文献１（３）のように雨樋やその近傍に加熱装置類を設置して氷柱の発生を防止するようにしたものなどは、加熱装置の設置および維持・管理の他に、電力供給や給湯などを要するから、利用者の経済的負担が増大してしまうという欠点がある。
【０００６】
また、同特許文献１（４）のように雨樋上部の殆どを覆うよう、軒先を延伸してなる軒樋保護部材などは、雪庇や氷柱から雨樋を保護するのに有効なものであるが、雨量が多く勢いよく流れ下る雨水などは雨樋に流入し難く、そのまま軒先下の地上まで直接落下してしまう虞があるという欠点を有し、さらに、ヒーター類を設置した場合には、前述したものと同様に経済的負担が増大してしまうものであり、同特許文献１（５）ないし（７）のように、雨樋と軒先を壁面で覆うようにしてなるものは、枯葉などの塵埃類が雨樋がわに流入してしまった場合などの掃除やメンテナンスが困難な上、スガ漏りなどのトラブルが懸念されるものであり、また、同特許文献１（８）に示されているもののように、軒先唐草の水切り下端を雨樋の鼻隠しに近接するがわの線状開口縁直上付近の内側となる位置に垂下してなるものは、該水切り下端の折り曲げ加工が鋭角になっていない場合や、埃などが付着してしまったた場合などに、雪解け水や雨水などが、同水切り下端を回り込み易くなり、雨樋と鼻隠しとの間隙から下がわに漏出して氷柱を発生してしまう虞があった。                                                              
【特許文献１】（１）特開平５−９８７５５号公報    （２）特開２０００−２２６９１４号公報    （３）特開２００５−６１１１８号公報    （４）特開２００９−８４９２８号公報    （５）特開２００６−２９１５４９号公報    （６）特開２００８−１６９６２９号公報    （７）実用新案登録第３１４０８３５号公報    （８）特開平１０−１１０５０９号公報
【考案の概要】
【考案が解決しようとする課題】
【０００７】
（問題意識）
上述したとおり、一般的な建築物屋根の軒先は、雨樋と鼻隠しとの間隙に発生する氷柱による弊害を解決しようとして、従前までに提案のある各種氷柱防止装置などは、何れも構造が複雑化したり、電熱ヒーターなどの加熱装置類を要するものであったり、雨樋を含む軒先全体を覆うようにするものなど、雨樋を軒先がわに一体化してしまうに覆うものが多く、製造コストや設置工数が嵩み、施工主や管理者、利用者などに経済的負担を強いるものとなる上、雨樋の掃除が困難で、スガ漏りなどのトラブルが懸念されるという欠点が残るものであり、降雪地帯に居住して毎年雪庇、氷柱などの発生による軒先のトラブルについて様々に見聞きする中、新設屋根への施工か、既存屋根へかなどの付加的施工かを問わず、軒先用の各部品を再度見直し、最小限且つ最も効果的な改善策により、軒先への装着部品類を極力簡潔なものに抑え、格段に施工し易いものとした上、排水性能および氷柱防止機能の向上を、より確実且つ効率的に実現可能とするための構成につき、更なる改善の必要性を痛感するに至ったものである。
【０００８】
（考案の目的）
そこで、この考案は、軒先重量を過大に増加することなく、最小限度の部品を追加するだけで簡単に施工可能なものとし、軒先の氷柱発生を格段に確実に防止できる上、新設屋根か既存屋根かを問わず、何れの場合にも短時間で施工可能であり、しかも従来型の軒先と同程度のメンテナンスで経済的且つ効率的に維持管理することができる新たな軒先の氷柱防止技術の開発はできないものかとの判断から、降雪地帯に住まうものの一人として逸速くその開発、研究に着手し、長期に渡る試行錯誤と幾多の試作、実験とを繰り返してきた結果、今回、遂に新規な構造の軒先用氷柱防止板、軒先氷柱防止用葺き板、氷柱防止用雨樋、および、それらの何れかを利用した氷柱防止型軒先を実現化することに成功したものであり、以下では、図面に示すこの考案を代表する実施例と共に、その構成を詳述することとする。                                                                              
【課題を解決するための手段】
【０００９】
（考案の構成）
図面に示すこの考案を代表する実施例からも明確に理解されるように、この考案の軒先用氷柱防止板は、基本的に次のような構成から成り立っている。
即ち、建築物の標準単位寸法長に準ずる左右幅寸法に設定した左右に長い帯状金属板製水滴誘導板であって、同水滴誘導板上端縁がわを、対象建築物屋根の軒先端に垂下する軒先唐草の水下がわ水切り板部に一体化可能とすると共に、同水滴誘導板下端縁を建築物屋根軒先の桁行き方向に沿って複数点在状に突設した樋支持金具を介し、鼻隠しとの間に一定間隙を確保して平行状に支持したＵ字断面形状雨樋の上向き開口前後縁の中、鼻隠しに近接するがわの線状開口縁に一致するか、雨樋の上向き開口前後縁間から同雨樋底面に向け垂下状とするか、または、同雨樋の内がわ底面の適所に近接、もしくは、当接する位置まで垂下可能とするよう、当該水滴誘導板の上下寸法・形状を設定してなるものとした構成を要旨とする軒先用氷柱防止板である。
【００１０】
より具体的には、建築物の標準単位寸法長に準ずる左右幅寸法に設定した左右に長い帯状金属板製水滴誘導板であって、同水滴誘導板上端縁がわを、対象建築物屋根の軒先端に垂下する軒先唐草の水下がわ水切り板部に一体化可能とすると共に、同水滴誘導板下端縁を建築物屋根軒先の桁行き方向に沿って複数点在状に突設した樋支持金具を介し、鼻隠しとの間に一定間隙を確保して平行状に支持したＵ字断面形状雨樋の上向き開口前後縁の中、鼻隠しに近接するがわの線状開口縁に一致するか、雨樋の上向き開口前後縁間から同雨樋底面に向け垂下状とするか、または、同雨樋の内がわ底面の適所に近接、もしくは、当接する位置まで垂下可能とするよう、当該水滴誘導板の上下寸法・形状を設定し、設置した軒先端を流下、飛散する水滴が、雨樋と鼻隠しとの間隙から漏出、流下しないよう、雨樋内に確実に誘導可能としてなるものとした構成からなる軒先用氷柱防止板となる。
【００１１】
（関連する考案１）
上記した軒先用氷柱防止板に関連し、この考案には、軒先用氷柱防止板の主要な構成を一体化してなる軒先氷柱防止用葺き板も包含している。
即ち、建築物の標準単位寸法長に準ずる左右幅寸法に設定した左右に長い金属板製葺き板であって、対象建築物屋根の軒先に沿って被着する葺き板本体の水下がわ端に、軒先端から垂下する軒先唐草を一体化してなるものか、または、建築物の標準単位寸法長に準ずる左右幅寸法に設定した左右に長い帯状金属板製であって、対象建築物屋根の軒先に沿って被着する葺き板本体の水下がわ端に沿って連結機構を設け、その連結機構を介して軒先端から垂下するよう連結可能な軒先唐草それ自体かの何れか一方からなり、それら何れか一方の軒先唐草の水下がわ端左右間に渡り、上端縁がわを一体化した水滴誘導板部の下端縁を、建築物屋根軒先の桁行き方向に沿って複数点在状に突設した樋支持金具を介し、鼻隠しとの間に一定間隙を確保して平行状に支持したＵ字断面形状雨樋の上向き開口前後縁の中、鼻隠しに近接するがわの線状開口縁に一致するか、雨樋の上向き開口前後縁間から同雨樋底面に向け垂下状とするか、または、同雨樋の内がわ底面の適所に近接、もしくは、当接する位置まで垂下可能とするよう、当該水滴誘導板の上下寸法・形状を設定してなるものとした構成を要旨とする軒先氷柱防止用葺き板である。
【００１２】
（関連する考案２）
上記した軒先用氷柱防止板に関連し、この考案には、軒先用氷柱防止板の主要な構成を一体化してなる氷柱防止用雨樋も包含している。
即ち、建築物屋根軒先の桁行き方向に沿って複数点在状に突設した樋支持金具を介し、鼻隠しとの間に一定間隙を確保して平行状に支持したＵ字断面形状雨樋の上向き開口前後縁の中、装着状態にて鼻隠しに近接するがわとなる線状開口縁を上方に向けて延伸し、対象建築物屋根の軒先端に垂下する軒先唐草の水下がわ水切り板部の左右間に渡り、その上端縁を一体化可能とする水滴誘導板を延伸、一体化形成してなるものとした構成を要旨とする氷柱防止用雨樋である。
【００１３】
（関連する考案３）
上記した軒先用氷柱防止板、軒先氷柱防止用葺き板および氷柱防止用雨樋に関連し、この考案には、それらの何れかを利用した氷柱防止型軒先も包含している。
即ち、この考案の基本をなす全く新規な軒先用氷柱防止板を、建築物屋根軒先端の軒先唐草の水下がわ水切り板部から、同軒先に設置した雨樋に達するよう垂下状に装着し、同軒先の鼻隠しと雨樋と間の一定間隙を閉塞可能なものとしてなる、この考案の基本をなす前記軒先用氷柱防止板を利用した氷柱防止型軒先である。
【００１４】
また、この考案の全く新規な構成を有する軒先氷柱防止用葺き板を、建築物屋根軒先端の野地板、広小舞上から、軒先端を回り込むように包み、その水滴誘導板部の下端縁が、軒先雨樋適所に達するよう垂下状に装着し、軒先鼻隠しと雨樋と間の一定間隙を閉塞可能なものとしてなる、この考案の前記軒先氷柱防止用葺き板を組み込んでなるものとした氷柱防止型軒先であるということができる。
【００１５】
さらにまた、この考案の全く新規な構成を有した氷柱防止用雨樋を、建築物屋根軒先の桁行き方向に沿って複数点在状に突設した各樋支持金具を介し、軒先鼻隠し前面に沿って装着、支持すると共に、当該水滴誘導板の上端縁を軒先端に垂下する軒先唐草の水下がわ水切り板部の左右間に渡って一体化し、軒先鼻隠しと雨樋と間の一定間隙を閉塞可能なものとしてなる、この考案の前記氷柱防止用雨樋を利用した氷柱防止型軒先とすることができる。                                                                                                              
【考案の効果】
【００１６】
以上のとおり、この考案の軒先用氷柱防止板によれば、従前までのものとは違い、上記したとおりの固有の特徴ある構成から、従来型の建築物屋根の軒先では、鼻隠しと雨樋との間隙から雪解け水や雨水などが漏れ出して氷柱の発生原因となっていたが、当該軒先用氷柱防止板を組み込むだけで、軒先から流下する雪解け水などを円滑に雨樋内へと誘導し、鼻隠しと雨樋との間隙から漏出するのを阻止することができるから、軒先に氷柱が発生するのを格段に確実に防止することができるものとなり、しかも従来型の軒先および雨樋では、軒先重量を過大に増加させてしまったり、部品点数を増加させて複雑化してしまったり、施工に長時間を要するものであったりと、建築物の屋根への負担や、施工主への経済的負担の増大などを招く虞があったが、こうした弊害を悉く解消し、軒先重量を過大に増加することなく、最小限度の部品を追加するだけで簡単に施工可能なものとする上、新設屋根か既存屋根かを問わず、何れの場合にも短時間で施工可能であり、しかも従来型の軒先と同程度のメンテナンスで経済的且つ効率的に維持管理することができる新たな軒先の氷柱防止技術を提供できるという秀れた特徴が得られるものである。
【００１７】
加えて、軒先用氷柱防止板の主要部分を形成する水滴誘導板が、その下端縁まで下向き開放する縦溝状組込口を開口し、各組込口上縁から、廂状舌片を延伸してなるものは、既存の建築物屋根軒先と、同軒先に複数の樋支持金具で支持した雨樋との間に、特段の加工を要することなく、そのまま簡便且つ迅速に組み込み、装着することができるから、従来型の氷柱防止技術に比較して格段に経済的且つ短工期にて施工可能である上、設置状態にて各廂状舌片が、樋支持金具上に流下、滴下する雪解け水や雨水などを雨樋内へと的確に誘導するから、各組込口上縁から雨樋外に漏出して氷柱を生ずるのを、より一層確実に防止することができるという利点がある。
【００１８】
さらに、この考案の軒先用氷柱防止板を利用した氷柱防止型軒先は、屋根の軒先を流下する雪解け水が軒先唐草を流れ下ると、当該軒先用氷柱防止板の水滴誘導板が外部に漏出させず、雨樋内へと正確に誘導するものとなり、しかも、軒先を勢いよく流れ下り、雨樋の上向き開口前後縁の中の、軒先から遠い配置とする外がわの線状開口縁に落下・衝突して飛散した飛沫・水滴が、従前までであれば、鼻隠しと雨樋との間隙から漏出して氷柱を発生する一要因となっていたが、当該水滴誘導板が、鼻隠しと雨樋との間隙を確実に閉塞し、こうした水滴の漏出を一切、抑止するものとなり、軒先の氷柱を確実に防止すると共に、スガ漏りなどの発生を防止できる上、鼻隠しの汚損を防止して、軒先の耐久性を格段に高めることができるという効果を奏するものとなる。
【００１９】
この考案の軒先氷柱防止用葺き板によれば、建築物屋根の軒先用の葺き板および軒先唐草を装着する作業工程か、または、既存の軒先葺き板に軒先唐草のみを装着する作業工程かの何れかの工程にて、軒先唐草および水滴誘導板を同時に設置し、鼻隠しと雨樋との間隙を確実に閉塞してしまうことが可能となるから、新築や屋根の葺き替えなどの工事に伴い、この考案の軒先用氷柱防止板を施工しようとするような場合には、部品点数の削減と屋根軒先の軽量化、および、工期の短縮による施工主への経済的負担を一段と軽減することができるものになり、加えて、水滴誘導板に、雨樋用の各樋支持金具夫々に組み合わせる縦溝状組込口を開口し、各組込口上縁から、各樋支持金具の上部を被覆可能な廂状舌片を延伸してなるものとすれば、無加工でそのまま組み込み、装着可能なものとすることができ、より一層施工性に秀れたものとすることができる。
【００２０】
そして、軒先氷柱防止用葺き板を組み込んでなる氷柱防止型軒先は、建築物屋根の軒先葺き板から軒先唐草および水滴誘導板までを１枚の金属板から形成するか、または、建築物屋根の軒先葺き板に連結機構を介して連結可能とした軒先唐草および水滴誘導板までを１枚の金属板から形成するかの何れかのものとするから、軒先唐草から水滴誘導板まで継ぎ目の無い円滑な水滴誘導を実現化し、淀みない流下、排水を実現化し、漏水の発生を一段と抑止可能なものとすることができ、軒先の氷柱やスガ漏りの発生を、より一段と防止可能とするという大きな効果が得られるものとなる。
【００２１】
一方、この考案の氷柱防止用雨樋によれば、建築物屋根の軒先に雨樋を装着する作業工程で、前記軒先用氷柱防止板の閉塞機能を果たす水滴誘導板を、予め雨樋に一体化してあるものとして同時に設置することが可能であり、新築か、老朽化した雨樋の交換作業などに際し、この考案の軒先用氷柱防止板を施工しようとするような場合には、当該氷柱防止用雨樋の装着により、部品点数の削減と屋根軒先の軽量化、および、工期の短縮による施工主への経済的負担を一段と軽減することができるものになり、加えて、水滴誘導板に、雨樋用の各樋支持金具夫々に組み合せる組込口を開口し、各組込口に夫々樋支持金具を貫通状に組み合わせてなるものとすれば、従来型の樋支持金具を無加工で組み込むことが可能となり、工場における生産コストを大幅に削減し、一段と低廉にて提供可能なものとするという特徴が得られるものとなる。
【００２２】
そして、氷柱防止用雨樋を利用した氷柱防止型軒先は、雨樋と、該雨樋から上向きに延伸する水滴誘導板とを、継ぎ目の無い一体化部品として製造してあるから、該水滴誘導板を接続した建築物屋根軒先の軒先唐草から流下する水滴を、一段と円滑に誘導可能なものとし、淀みない流下、排水を実現化して、漏水の発生を格段に抑止可能なものとすることができ、軒先の氷柱やスガ漏りの発生を、より確実に防止できるものになるという顕著な効果が得られる。                                                                  
【考案を実施するための最良の形態】
【００２３】
上記したとおりの構成からなるこの考案の実施に際し、その最良もしくは望ましい形態について説明を加えることにする。
軒先用氷柱防止板は、建築物軒先から流下する雪解け水や雨水などを、雨樋と鼻隠しとの間に確保した一定間隙から下方へ漏出、飛散することなく、雨樋内に確実に誘導して排水管路を通じて円滑に排水可能なものとし、軒先と雨樋との間に氷柱が発生、垂下および成長してしまうのを確実に阻止可能とする機能を担い、充分な防水性および耐久性を有する水滴誘導用の壁面を有するものとしなければならず、屋根用の葺き板材と同等の金属板製の水滴誘導板からなるものとすべきであって、該水滴誘導板上端縁がわを、対象建築物屋根の軒先端に垂下する軒先唐草の水下がわ水切り板部に一体化可能とすると共に、同水滴誘導板下端縁を建築物屋根軒先鼻隠しに沿って装着したＵ字断面形状雨樋の上向き開口前後縁の中、鼻隠しに近接するがわの直線状開口縁に一致するか、雨樋の上向き開口前後縁間から同雨樋底面に向け垂下状とするか、または、同雨樋の内がわ底面の適所に近接、もしくは、当接する位置まで垂下可能とするよう、当該水滴誘導板の上下寸法・形状を設定し、設置状態にて軒先鼻隠しと雨樋と間の一定間隙を閉塞可能としてなるものとするのがよい。
【００２４】
水滴誘導板は、対象建築物屋根の軒先と、雨樋の上向き開口前後縁の中、鼻隠しに近接するがわの線状開口縁との間隙から、雪解け水や雨水などが漏出しないよう堰き止め可能とする機能を担い、その上端縁がわを、対象建築物屋根の軒先端に垂下する軒先唐草の水下がわ水切り板部に一体化可能とすると共に、同水滴誘導板下端縁を建築物屋根軒先鼻隠しに沿って装着したＵ字断面形状雨樋の上向き開口前後縁の中、鼻隠しに近接するがわの線状開口縁に一致するか、雨樋の上向き開口前後縁間から同雨樋底面に向け垂下状とするか、または、同雨樋の内がわ底面の適所に近接、もしくは、当接する位置まで垂下可能とするよう、当該水滴誘導板の上下寸法・形状を設定してなるものしなければならず、軒先端がわに一体化可能な上端縁がわから、雨樋に達する下端縁にかけて適宜勾配とするよう、桁行き方向断面形（縦断面形）を直線状断面形、折線状断面形、曲線状断面形またはそれらの組合せからなる断面形などの何れかとするよう成型し、排水を効果的に誘導可能なものとするのが良く、後述する実施例に示すように、雨樋用の桁行き方向に沿って点在する各樋支持金具と、夫々貫通状に組み合せるべき左右幅間・上下端間の中途各所の夫々から、同水滴誘導板下端縁まで下向き開放する縦溝状組込口を開口し、各組込口上縁から、各樋支持金具の上部を被覆可能な廂状舌片を延伸してなり、既設の雨樋を脱着したり、樋支持金具を分解・組立したりせずとも、簡便に組み込み装着可能としてなるものとすることができる外、各組込口は、下向きに開放する縦溝状のものとはせずに、各樋支持金具が貫通可能な貫通孔状のものに置き換え、既設の雨樋を一旦取り外したり、その樋支持金具を一時的に分解したりするなどして装着可能なものとすることが可能である。
【００２５】
当該水滴誘導板は、設置前の葺き板本体の軒先がわ端に垂下状・一体的に組み込むようにするか、または、軒先唐草の水下がわ端に垂下状に一体化するかの何れかのものとして、この考案に包含する軒先氷柱防止用葺き板を形成することが可能である外、当該水滴誘導板下端がわを、Ｕ字断面形状雨樋の上向き開口前後縁の中、鼻隠しに近接するがわの線状開口縁に一致するか、雨樋の上向き開口前後縁間から同雨樋底面に向け垂下状とするか、または、同雨樋の内がわ底面の適所に近接もしくは当接する位置まで垂下した姿勢に一体化するかして、この考案の氷柱防止用雨樋を形成するものとすることができる。
【００２６】
軒先氷柱防止用葺き板は、対象建築物屋根の軒先に臨む範囲の葺き板としての防水機能を兼ね備えていて前記水滴誘導板としての機能を分担するものであり、従来型か、または今後開発される新型かの何れかの葺き板本体の軒先端配置となる水下がわ端に、この考案による軒先用氷柱防止板の主要な構成要素である水滴誘導板を一体に形成するか、または軒先唐草の水下がわ端に垂下状に当該水滴誘導板を一体に形成するかして、建築物軒先から流下する雪解け水や雨水などを、雨樋と鼻隠しとの間に確保した一定間隙から下方へ漏出、飛散させることなく、確実に雨樋内に誘導し、排水管路を通じて円滑に排水可能とし、軒先と雨樋との間に氷柱が発生、垂下および成長してしまうのを阻止可能とする機能を担い、充分な防水性および耐久性を有する水滴誘導用の壁面を有するものとしなければならず、より具体的には、後述する実施例に示すように、葺き板本体の軒先がわ配置となる水下がわ端に一体化した軒先唐草の水下がわ端に水滴誘導板部の上端縁を一体化し、それら全体を１枚の金属板製のものとすることができる外、対象建築物屋根の軒先に臨む範囲の葺き板とは別体のものとした左右に長い帯状の軒先唐草であって、該軒先唐草の上端には、軒先に臨む葺き板の軒先がわ端に連結可能な連結機構を設けると共に、同軒先唐草の下端には、水滴誘導板部の上端縁を垂下状に一体化してなるものとすることができる。
【００２７】
当該軒先氷柱防止用葺き板も、前述した軒先用氷柱防止板と同様、雨樋用の桁行き方向に沿って点在状に突設する各樋支持金具と、夫々貫通状に組み合せるべき左右幅間・上下端間の中途各所の夫々から、同水滴誘導板下端縁まで下向き開放する縦溝状組込口を開口し、各組込口上縁から、各樋支持金具の上部を被覆可能な廂状舌片を延伸してなり、既設の雨樋を脱着したり、樋支持金具を分解・組立したりせずとも、簡便に組み込み装着可能としてなるものとすることができる外、各組込口は、下向きに開放する縦溝状のものとはせずに、各樋支持金具が貫通可能な貫通孔状のものに置き換えて、既設の雨樋を、一旦取り外したり、その樋支持金具を一時的に分解したりすることによって装着可能なものとすることができる。
【００２８】
氷柱防止用雨樋は、対象建築物屋根の軒先から流下する雪解け水や雨水などを、雨樋と鼻隠しとの間に確保した一定間隙から下方へ漏出、飛散することなく、確実に雨樋内に誘導し、排水管路を通じて円滑に排水可能とし、軒先と雨樋との間に氷柱が発生、垂下および成長してしまうのを確実に阻止可能とする機能を担い、この考案の軒先用氷柱防止板の主要な構成要素である水滴誘導板を、従来型か、または、今後開発される新型かの何れかの雨樋の適所に一体化し、充分な防水性および耐久性を有する水滴誘導用の壁面を有するものとしなければならず、後述する実施例に示すように、Ｕ字断面形雨樋の設置状態にて鼻隠しに近接するがわの線状開口縁から軒先端に到達可能とする寸法・形状に立設するか、または、雨樋の底面から上向き開口前後縁間を通り、軒先端に到達可能とする寸法・形状に立設するかの何れかのものとすることができる。
【００２９】
当該氷柱防止用雨樋も、前述した軒先用氷柱防止板と同様に、雨樋用の桁行き方向に沿って点在状に突設する各樋支持金具と、夫々貫通状に組み合せるべき左右幅間・上下端間の中途各所の夫々とから、同水滴誘導板下端縁まで下向き開放する縦溝状組込口を開口し、各組込口上縁から、各樋支持金具の上部を被覆可能な廂状舌片を延伸してなり、既設の雨樋を脱着したり、樋支持金具を分解・組立したりせずとも、簡便に組み込み装着可能としてなるものとすることができる外、各組込口は、下向きに開放する縦溝状のものとはせずに、各樋支持金具が貫通可能な開口形状の貫通孔に置き換えて、既設の雨樋を、一旦取り外したり、その樋支持金具を一時的に分解したりすることよって装着可能なものとすることが可能である。
【００３０】
そして、前述の軒先用氷柱防止板、軒先氷柱防止用葺き板、および、氷柱防止用雨樋は、何れも、それらの何れかを利用することにより、この考案に包含する氷柱防止型軒先を形成可能とするものである。
以下では、図面に示すこの考案を代表する実施例と共に、その構造について詳述することとする。                                                                                                          
【図面の簡単な説明】
【００３１】
図面は、この考案の軒先用氷柱防止板、軒先氷柱防止用葺き板、氷柱防止用雨樋、および、それらの何れかを利用した氷柱防止型軒先の技術的思想を具現化した代表的な幾つかの実施例を示すものである。
【図１】軒先用氷柱防止板を組み込んでなる氷柱防止型軒先を示す斜視図である。
【図２】軒先用氷柱防止板を組み込む氷柱防止型軒先を示す斜視図である。
【図３】氷柱防止型軒先の氷柱防止状態を側面視で示す縦断面図である。
【図４】軒先氷柱防止用葺き板を組み込む氷柱防止型軒先を示す斜視図である。
【図５】氷柱防止用雨樋を組み込む氷柱防止型軒先を示す斜視図である。
【図６】従来型の建築物屋根軒先を示す斜視図である。
【図７】従来型の建築物屋根軒先を側面視で示す縦断面図である。
【実施例１】
【００３２】
図１ないし図３に示す事例は、帯状金属板製水滴誘導板４の上端縁４０がわを、対象軒先８３端水下がわに一体化可能とすると共に、同水滴誘導板４下端縁４１を軒先８３の桁行き方向に沿って複数点在状に突設した樋支持金具６２，６２，……を介し、鼻隠し８５との間に一定間隙９０を確保して平行状に支持した雨樋６の上向き開口前後縁６０，６０間から同雨樋６の内がわ底面６１の適所に当接する位置まで垂下可能とするよう、当該水滴誘導板４の上下寸法・形状を設定してなるものとした、この考案の軒先用氷柱防止板１を利用した氷柱防止型軒先７における代表的な一実施例を示すものである。
【００３３】
それら各図からも明確に把握できるとおり、この考案の軒先用氷柱防止板１は、建築物８の１間（１．８ｍ）または半間（０．９ｍ）などの標準単位寸法長に準ずる左右幅寸法に設定した左右に長い帯状であって、同建築物８の屋根葺き材と同一素材からなる金属板製水滴誘導板４からなり、同水滴誘導板４上端縁４０は、対象建築物８屋根８０の軒先８３端に垂下状に装着した軒先唐草５の水下がわ水切り板部５０に対して、施工現場で現物合わせしながら、左右幅間に渡る適宜間隔置きとなる複数箇所に、連結機構５１であるブラインドリベット５１，５１，……用の下孔５２，５２，……を穿孔可能とするよう、適宜上下（例えば上下４０ｍｍ）寸法範囲を平板状に確保してあり、施工時には、対象建築物８屋根８０の軒先８３端に垂下状に装着した軒先唐草５の水下がわ水切り板部５０の裏面がわに、同水滴誘導板４上端縁４０を重ね合わせ、下孔５３，５３，……，５２，５２，……を同時穿設してから、ブラインドリベット５１，５１，……で垂下状に一体化するよう連結することが可能なものとしてあり、該水滴誘導板４の左右幅寸法は、施工現場で現物合わせしながら、裁断して左右長を調節することができるものである。
【００３４】
当該水滴誘導板４下端縁４１は、設置状態にて雨樋６の上向き開口前後縁６０，６０の中、鼻隠し８５に近接するがわの線状開口縁６０付近で鉛直下方がわに向けて折曲し、同雨樋６の内がわ底面６１に接地する寸法・形状に設定し、該雨樋６用であって、軒先８３の桁行き方向に沿って複数点在状に突設した樋支持金具６２，６２，……と夫々貫通状に組み合せるべき左右幅間（例えば４５ｃｍ置き毎）および上下端間の中途各所の夫々から、同水滴誘導板４下端縁４１まで鉛直下向きに開放する縦溝状組込口４２，４２，……を開口し、各組込口４２，４２，……上端縁からは、それら組込口上縁４２，４２，……を切開加工する際に生じる余剰切り板部分の一部を残存舌片状とするよう加工して、各樋支持金具６２，６２，……の上部を被覆可能な湾曲廂状舌片４３，４３，……を一体形成し、設置状態にて雨樋６内に向かうよう、前方斜め下方に延伸してなるものとする。
図示していないが、当該水滴誘導板４は、その上端縁４０の全幅に渡って軒先唐草５を、その水切り板部５０にて一体化成型してなるものとし、施工現場で設置する際には、対象建築物８屋根８０軒先８３の金属製葺き板８８水下がわ端に、該軒先唐草５の上端がわを連結することにより、装着可能なものとすることができる。
【００３５】
（実施例１の作用・効果）
以上のとおりの構成からなるこの考案の軒先用氷柱防止板１は、図１ないし図３中に示すように、それを利用して氷柱防止型軒先７を施工することができるものであり、例えば、既存の建築物８屋根８０の軒先８３に沿って、その左右幅に相当する複数枚の軒先用氷柱防止板１，１，……を組み込むことが可能であり、また、新築屋根８０や、既存屋根８０の葺き替え、または、雨樋６の交換や修理などの施工に際して施工することが可能なものであり、既存の軒先８３に設置する場合には、当該軒先用氷柱防止板１水滴誘導板４の上端縁４０を、軒先８３に軒先唐草５の野地板８１広小舞８２より下方に垂下した水切り板部５０と、鼻隠し８５との間に、上向きに差し入れるようにして該水切り板部５０の背面に重ね合わせるよう配置すると共に、桁行き方向に４５ｃｍ置きに配置してある雨樋６用の各樋支持金具６２，６２，……に、各組込口４２，４２，……を一致させて嵌合状に組合せ、各廂状舌片４３，４３，……が各樋支持金具６２，６２，……上の一部を覆い、且つ、下端縁４１，４１，……が雨樋６の内がわ底面６１に到達する姿勢とした上、当該水滴誘導板４の上端縁４０および軒先唐草５の水切り板部５０を重ね合わせ範囲で、左右幅間の適宜間隔置き毎の複数箇所に下孔５２，５２，……、５３，５３，……を各々同心上配置とするよう穿孔した上、連結機構５１であるブラインドリベット５１，５１，……で連結・一体化して垂下状に固定し、図１および図３に示すような、この考案に包含する氷柱防止型軒先７を施工したものとすることができる。                                                                
【実施例２】
【００３６】
図４に示す事例は、対象建築物８屋根８０の軒先８３の最先端に沿って被着する葺き板本体２０の水下がわ端に、軒先８３端から垂下する軒先唐草５を一体化するとと共に、該軒先唐５草の水下がわ端５０左右間に渡り、前記実施例１に示した軒先用氷柱防止板１と基本的に同様の構成を有する水滴誘導板４を一体化してなる、この考案の軒先氷柱防止用葺き板２における代表的な一実施例を示すものである。
該軒先氷柱防止用葺き板２は、建築物８の１間（１．８ｍ）または半間（０．９ｍ）などの標準単位寸法長に準ずる左右幅寸法に設定した金属板製葺き板２０であって、建築物８屋根８０の軒先８３に沿って被着する葺き板本体２０の水下がわ端に、軒先８３端から垂下する軒先唐草５を一体化すると共に、該軒先唐草５の水下がわ端５０左右間に渡り、水滴誘導板部４の上端縁４０がわを一体化してなるものであり、同水滴誘導板部４は、上下中途部付近から、鉛直下方に向けるように折曲し、その下端縁４１が、設置状態にて雨樋６の内がわ底面６１に達するよう、その上下寸法・形状を設定してなるものとしてあり、さらに、該水滴誘導板部４の、雨樋６用樋支持金具６２，６２，……と夫々貫通状に組み合せるべき左右幅間・上下端間の中途各所の夫々から、同水滴誘導板４下端縁４１まで、各樋支持金具６２，６２，……に嵌合状に装着可能な形状、寸法で下向き開放する縦溝状組込口４２，４２，……を開口し、各組込口４２，４２，……上縁からは、各樋支持金具６２，６２，……の上部を一部、被覆可能な廂状舌片４３，４３，……を、設置状態にて雨樋６内に向かうよう、前方斜め下方に延伸してなるものとする。
【００３７】
（実施例２の作用・効果）
この考案の軒先氷柱防止用葺き板２は、図４に示すように、対象建築物８屋根８０の軒先８３の最先端配置の葺き板本体２０として新設利用、または、旧型の既存葺き板と葺き替えすることで、この考案が包含する氷柱防止型軒先７を施工することが可能である。
同図４のように、対象建築物８の例えば一文字葺き屋根８０の軒先８３最先端から２番目となる配置の葺き板８８先端に、当該軒先氷柱防止用葺き板２の後端縁２１をハゼ継ぎ連結し、同軒先氷柱防止用葺き板２の葺き板部２２が、野地板８１、広小舞８２上のアスファルトルーフィングまたはゴムアス防水シートなどの防水シート８６、および、耐熱型スチレン発泡樹脂製の断熱ブロック、差し棟用バックアップ材または受け板などの補強材類８９の上がわを被覆するよう装着し、軒先唐草５が、広小舞８２の軒先８３端に沿って下向き斜め前方に向けて垂下状とするよう装着した上、雨樋６用樋支持金具６２，６２，……夫々に、各組込口４２，４２，……を嵌合し、且つ、各廂状舌片４３，４３，……が、各樋支持金具６２，６２，……上の一部を覆うよう組み合せ、さらに、下端縁４１，４１，……を雨樋６の内がわ底面６１適所に到達するよう装着し、この考案に包含する氷柱防止型軒先７を施工したものとすることができる。                                                                  
【実施例３】
【００３８】
図５に示す事例は、対象建築物８屋根８０軒先８３の最先端に、桁行き方向に沿って複数点在状に突設した樋支持金具６２，６２，……を介し、鼻隠し８５との間に一定間隙９０を確保して平行状に支持可能なものとした、Ｕ字断面形状雨樋６の上向き開口前後縁６０，６０，……の中、鼻隠し８５に近接するがわとなる線状開口縁６０から、軒先８３端に垂下する軒先唐草５に連結可能とするよう、水滴誘導板４を上向きに延伸、一体化してなるものとした、この考案の氷柱防止用雨樋３における代表的な一実施例を示すものである。
【００３９】
同図５に示すように、当該氷柱防止用雨樋３は、対象建築物８屋根８０軒先８３の桁行き方向に沿って４５ｃｍ置き毎に点在状に突設した複数の樋支持金具６２，６２，……を介し、同軒先８３の鼻隠し板８４に対して、それを外装する金属板製鼻隠し８５越しにスクリュー釘６５，６５，……などで装着可能としたものであり、の上向き開口前後縁６０，６０の中、装着状態にて鼻隠し８５に近接するがわとなる線状開口縁６０を上方に向けて延伸し、対象建築物８屋根８０の軒先端８３に垂下する軒先唐草５の水下がわ水切り板部５０の背面左右間に渡り、その上端縁４０を一体化可能とする水滴誘導板４を延伸、一体化形成してなるものとした上、該水滴誘導板４の、各樋支持金具６２，６２，……と夫々貫通状に組み合せるべき左右幅間・上下端間の中途各所の夫々に、各樋支持金具６２，６２，……が貫通可能な形状・寸法の組込口４２，４２，……を穿設し、各組込口４２，４２，……夫々に樋支持金具６２，６２，……を貫通状に組み合わせてなるものである。
【００４０】
（実施例３の作用・効果）
この考案の氷柱防止用雨樋３は、図５に示すように、対象建築物８屋根８０軒先８３の雨樋３として新設利用するか、または、旧型の既存の雨樋と置き換え利用するかの何れかとすることによって、この考案に包含する氷柱防止型軒先７を施工することが可能である。
例えば、老朽化した雨樋を取り外し、この考案の氷柱防止用雨樋３を交換、設置することが可能であり、当該氷柱防止用雨樋３用の樋支持金具６２，６２，……基端がわ部材６３，６３，……を、対象建築物８屋根８０軒先８３、鼻隠し板８４前面の、左右幅間の例えば４５ｃｍ置き毎となる複数箇所夫々に、鼻隠し８５越しに、スクリュー釘６５，６５，……などを用いて固着した上、当該氷柱防止用雨樋３の鼻隠し８５に近接するがわとなる線状開口縁６０に一体化した水滴誘導板４の上端縁４０を、軒先８３軒先唐草５の水下がわ水切り板部５０の背面に重ねるよう配置すると共に、各樋支持金具６２，６２，……基端がわ部材６３，６３，……の夫々に、同先端がわ部品６４，６４，……を蝶ネジおよびナット６６，６６，……で連結し、氷柱防止用雨樋３を軒先８３に確りと支持させた上、軒先唐草５水切り板部５０と、その裏面に重ね合わせ状に配した当該氷柱防止用雨樋３の水滴誘導板４上端縁４０とに、桁行き方向に沿って所定間隔置き毎の配置で下孔５２，５２，……、５３，５３，……を互いに同心上配置とするよう穿孔した上、連結機構５１であるブラインドリベット５１，５１，……で連結・一体化して垂下状に固定し、同図５中に示すように、この考案に包含する氷柱防止型軒先７を施工したものとすることができる。
【００４１】
（結  び）
叙述の如く、この考案における軒先用氷柱防止板、軒先氷柱防止用葺き板、氷柱防止用雨樋、および、それらの何れかを利用した氷柱防止型軒先は、その新規な構成によって所期の目的を遍く達成可能とするものであり、しかも製造も容易で、従前からの軒先氷柱防止技術に比較し、軒先用部品点数の格段の削減および軽量化を達成し、これに伴う大幅な低廉化によって遥かに経済的なものとすることができる上、軒先デザインを大幅に変更する必要もなく、既存デザインを踏襲したままに軒先の氷柱を確実に防止できるものとなることから、従前までのような大掛かりな改修工事や、新築屋根全体の形状変更などといった対策を余儀なくされてきた建築業界は固よりのこと、従来型の氷柱防止技術による施工および維持管理に多大な負担を強いられていた一般家庭や各種企業、団体においても高く評価され、広範に渡って利用、普及していくものになると予想される。                                                  
【符号の説明】
【００４２】
１      軒先用氷柱防止板
２      軒先氷柱防止用葺き板
２０    同  葺き板本体
２１    同  後端縁
２２    同  葺き板部
３      氷柱防止用雨樋
４      水滴誘導板（水滴誘導板部）
４０    同  上端縁
４１    同  下端縁
４２    同  組込口（貫通孔）
４３    同  廂状舌片
５      軒先唐草
５０    同  水切り板部（水下がわ端）
５１    同  ブラインドリベット（連結機構）
５２    同  水滴誘導板の下孔
５３    同  軒先唐草の下孔
６      雨樋
６０    同  上向き開口前後縁（線状開口縁）
６１    同  内がわ底面
６２    同  樋支持金具
６３    同  樋支持金具の基端がわ部品
６４    同  樋支持金具の先端がわ部品
６５    同  スクリュー釘
６６    同  蝶ネジおよびナット
７      氷柱防止型軒先
８      建築物
８０    同  屋根
８１    同  野地板
８２    同  広小舞
８３    同  軒先
８４    同  鼻隠し板
８５    同  鼻隠し
８６    同  防水用シート
８７    同  ブチルテープ
８８    同  金属製葺き板
８９    同  補強材類
９      氷柱
９０    同  一定間隙                                                                                              
【図１】
0003173545.tif 000003
【図２】
0003173545.tif 000004
【図３】
0003173545.tif 000005
【図４】
0003173545.tif 000006
【図５】
0003173545.tif 000007
【図６】
0003173545.tif 000008
【図７】
0003173545.tif 000009